(57)【要約】【課題】外観品質の低下を招くことなく、必要に応じて脚体の外側面にオプション部材を追加することのできるデスク装置を提供する。【解決手段】脚体２０の横梁部２５の幅方向の外側面に、横梁部２５の幅方向の内側に向かって窪む凹状段部２６を形成する。凹状段部２６は横梁部２５の全長に亘って形成する。凹状段部２６には、オプション部材の取付座１２を設ける。凹状段部２６は、脱着可能なカバー部材によって閉塞する。【選択図】図４
2014068917.tif 000002
【特許請求の範囲】
【請求項１】
床面上に設置されて上下方向に延出する２本の脚本体部が、当該脚本体部の上部で横梁部によって相互に連結されて成る一対の脚体と、
前記横梁部の延出方向である奥行方向と直交する幅方向に沿って延出し、前記一対の脚体の上部同士を連結する複数の連結杆と、
前記一対の脚体と前記複数の連結杆の上部に支持される天板と、を備えたデスク装置であって、
少なくとも一方の前記脚体の横梁部の前記幅方向の外側面には、当該横梁部の前記幅方向の内側に向かって窪む凹状段部が当該横梁部の全長に亘って形成され、
前記凹状段部には、オプション部材の取付座が設けられるとともに、当該凹状段部を閉塞するカバー部材が脱着可能に取り付けられていることを特徴とするデスク装置。
【請求項２】
前記カバー部材は、前記凹状段部とほぼ補形をなす形状に形成されていることを特徴とする請求項１に記載のデスク装置。
【請求項３】
前記カバー部材の外側露出面は、当該カバー部材を前記凹状段部に取り付けた状態において、前記横梁部の前記幅方向の外側面と略面一の平面を形成することを特徴とする請求項１または２に記載のデスク装置。
【請求項４】
前記凹状段部は、前記横梁部の下端から上方に離間した位置に形成されていることを特徴とする請求項１〜３のいずれか１項に記載のデスク装置。
【請求項５】
前記脚本体部と前記横梁部とは金属材料によって形成され、
前記凹状段部を有する横梁部は、前記脚本体部の上部側面に突き合わせられて、前記凹状段部内において前記脚本体部に溶接されていることを特徴とする請求項１〜４のいずれか１項に記載のデスク装置。
【発明の詳細な説明】
【技術分野】
【０００１】
この発明は、オフィスの執務空間等で使用されるデスク装置に関するものである。
【背景技術】
【０００２】
オフィスの執務空間等においては、床面上に設置される一対の脚体に天板が支持されたデスク装置が一般的に使用されている。
この種のデスク装置の脚体としては、床面上に沿わせて横向きに載置される下部パイプと、下部パイプの一端部若しくは中央部から上方に向かって延出する縦パイプと、縦パイプの上端部から下部パイプと平行に延出する上部パイプとにより、側面視がコ字状をなすように形成されたもの（いわゆるＬ型脚）や、側面視がエ字状をなすように形成されたもの（いわゆるＴ型脚）が多く見られる。また、パイプ材以外からなる脚体としては、パネル状のものも多く見られる。
【０００３】
これらのデスク装置の構造では、脚体における床面接触部分が大きいため、脚体によって天板ユニットを強固にかつ安定的に支持することができる。しかし、この構造においては、使用者に重厚な印象を与えてしまいデスク装置としての体裁として好ましくない場合がある。また、これらのデスク装置の構造は、脚体の床面接触部分が大きいことから、床面の清掃の際に作業の支障になり易い。
【０００４】
一方、これらの不具合の生じにくいデスク装置として、矩形状の天板ユニットの四隅に棒状の脚体をそれぞれ取り付け、棒状の脚体の各下端を床面上に設置するようにしたものも多く見られる。
ただし、このデスク装置の構造は、棒状の脚体のみによって天板ユニットを支持していることから、デスク装置の側方からの外力に対する強度的な面で不安がある。
【０００５】
こうした問題を解決したデスク装置として、一対の棒状の脚本体部が横梁部によって相互に連結されて成る一対の脚体と、幅方向に離間して配置した一対の脚体の上部同士を連結する複数の連結杆とを設け、各脚体の横梁部と連結杆の上面に天板ユニットを取り付けるようにしたものが案出されている（例えば、特許文献１参照。）。
【０００６】
また、この種のデスク装置において、脚体の上部の横梁部の外側面に、延長天板やキャビネット、物品吊り下げフック等のオプション部材を後から追加できることが望まれることがある。
【０００７】
こうした要望に対応するデスク装置として、複数の脚体を連結する連結杆に天板を支持させるとともに、連結杆の上面を脚体の上面よりも高く設定し、連結杆の上面と天板の間の隙間を通して延長天板の下面を支持する補助ステーを設置できるようにしたものが案出されている（例えば、特許文献２参照。）。
【先行技術文献】
【特許文献】
【０００８】
【特許文献１】特開２００８−１１９４１２号公報
【特許文献２】特開２００８−１１９４１３号公報
【発明の概要】
【発明が解決しようとする課題】
【０００９】
しかし、上記従来のデスク装置においては、脚体の上面と天板の間に隙間を設けたり、補助ステーを取り付けるための加工を施したりする必要があり、それによって外観品質が損なわれることが懸念される。
【００１０】
そこでこの発明は、外観品質の低下を招くことなく、必要に応じて脚体の外側面にオプション部材を追加することのできるデスク装置を提供しようとするものである。
【課題を解決するための手段】
【００１１】
この発明に係るデスク装置では、上記課題を解決するために以下の構成を採用した。
請求項１に係る発明は、床面上に設置されて上下方向に延出する２本の脚本体部が、当該脚本体部の上部で横梁部によって相互に連結されて成る一対の脚体と、前記横梁部の延出方向である奥行方向と直交する幅方向に沿って延出し、前記一対の脚体の上部同士を連結する複数の連結杆と、前記一対の脚体と前記複数の連結杆の上部に支持される天板と、を備えたデスク装置であって、少なくとも一方の前記脚体の横梁部の前記幅方向の外側面には、当該横梁部の前記幅方向の内側に向かって窪む凹状段部が当該横梁部の全長に亘って形成され、前記凹状段部には、オプション部材の取付座が設けられるとともに、当該凹状段部を閉塞するカバー部材が脱着可能に取り付けられていることを特徴とするものである。
これにより、脚部の横梁部の外側面にオプション部材を取り付けない場合には、凹状段部をカバー部材で閉塞しておき、オプション部材を取り付ける場合には、カバー部材を取り外し、凹状段部内の取付座を通してオプション部材を横梁部の外側面に取り付けることが可能になる。
【００１２】
請求項２に係る発明は、請求項１に係るデスク装置において、前記カバー部材は、前記凹状段部とほぼ補形をなす形状に形成されていることを特徴とするものである。
【００１３】
請求項３に係る発明は、請求項１または２に係るデスク装置において、前記カバー部材の外側露出面は、当該カバー部材を前記凹状段部に取り付けた状態において、前記横梁部の前記幅方向の外側面と略面一の平面を形成することを特徴とするものである。
【００１４】
請求項４に係る発明は、請求項１〜３のいずれか１項に係るデスク装置において、前記凹状段部は、前記横梁部の下端から上方に離間した位置に形成されていることを特徴とするものである。
これにより、凹状段部に取り付けられたカバー部材が横梁部の下端から下方に露出しなくなり、カバー部材が脱落したり、損傷したりしにくくなる。
【００１５】
請求項５に係る発明は、請求項１〜４のいずれか１項に係るデスク装置において、前記脚本体部と前記横梁部とは金属材料によって形成され、前記凹状段部を有する横梁部は、前記脚本体部の上部側面に突き合わせられて、前記凹状段部内において前記脚本体部に溶接されていることを特徴とするものである。
これにより、凹状段部内の溶接部は、凹状段部にカバー部材が取り付けられることにより、外部から隠されることになり、デスク装置としての体裁を良好に収めることができる。
【発明の効果】
【００１６】
この発明によれば、少なくとも一方の脚体の横梁部の幅方向の外側面に凹状段部が形成され、その凹状段部に、オプション部材の取付座が設けられるとともに、当該凹状段部を閉塞するカバー部材が脱着可能に取り付けられているため、外観品質の低下を招くことなく、必要に応じて脚体の外側面にオプション部材を追加することができる。
【図面の簡単な説明】
【００１７】
【図１】この発明の一実施形態のデスク装置の斜視図である。
【図２】この発明の一実施形態のデスク装置の平面図である。
【図３】この発明の一実施形態のデスク装置の天板支持体の斜視図である。
【図４】この発明の一実施形態の脚体の拡大斜視図である。
【図５】この発明の一実施形態の脚体の図４のＡ−Ａ断面に対応する断面図である。
【図６】この発明の一実施形態の脚体の上面図である。
【図７】この発明の一実施形態の脚体の幅方向内側方向から見た図である。
【図８】この発明の一実施形態の支持アームの図４のＢ矢視に対応する斜視図である。
【図９】この発明の一実施形態の脚体の図４のＣ矢視に対応する斜視図である。
【図１０】この発明の一実施形態のデスク装置のオプション部材を取り付けた場合における部分断面側面図である。
【図１１】この発明の一実施形態のデスク装置の別のオプション部材を取り付けた場合における部分断面側面図である。
【発明を実施するための形態】
【００１８】
以下、この発明の一実施形態のデスク装置を図面に基づいて説明する。
なお、以下の説明においては、床面Ｆと直角な方向を上下方向と呼び、天板ユニット１００の長尺な方向（長手方向）を幅方向、天板ユニット１００の短尺な方向を奥行方向と呼ぶものとし、図中ＬＨ，ＲＨを結ぶ矢印は幅方向を指し、図中ＦＲ，ＲＲを結ぶ矢印は奥行方向を指すものとする。奥行方向は、後述する脚体２０の横梁部２５の延出方向と一致する方向であり、幅方向は、上下方向と奥行方向に対して直交する方向である。
【００１９】
図１は、床面Ｆ上に設置されたデスク装置１の全体を示す図であり、図２は、デスク装置１の幅方向の半分の上面視を示す図である。また、図３は、天板ユニット１００が取り付けられる天板支持体１０を示す図である。なお、図３においては、天板ユニット１００を仮想線で示している。
図１〜図３に示すように、天板ユニット１００は、平面視が矩形状の４枚の天板部材２ａ，２ｂ，２ｃ，２ｄを有している。天板部材２ａ，２ｂ，２ｃ，２ｄは、各２枚の天板部材２ａ，２ｂ、及び、２ｃ，２ｄが長手方向の端面を突き合せて一定の奥行幅の連続した机上面を形成している。これらの連続した机上面を形成する２組の天板部材の対２Ａ，２Ｂ（以下、「天板２Ａ，２Ｂ」と呼ぶ。）が奥行方向の中央に離間スペース３を挟んで対向して配置されるようになっている。天板２Ａ，２Ｂは、長尺な辺が相互に平行になるように対向配置され、奥行方向の中央の離間スペース３は幅方向に沿って連続している。
なお、この実施形態においては、各天板２Ａ，２Ｂが２枚の天板部材２ａ，２ｂ、及び、２ｃ，２ｄによって構成されているが、それぞれ連続した一枚板によって構成することも可能である。
【００２０】
天板支持体１０は、幅方向の両端部に配置される一対の脚体２０，２０と、その一対の脚体２０，２０の上部同士を連結する外側連結杆３０，３０と内側連結杆３１，３１と、を備えている。この実施形態では、一対の脚体２０，２０の間に中間脚２２が配置され、中間脚２２の上部に中継ユニット２３が設けられている。
【００２１】
外側連結杆３０，３０は、天板支持体１０の奥行方向の両側の端部に幅方向に沿うように平行に配置され、天板ユニット１００の天板２Ａ，２Ｂの奥行方向の外側縁部を下方から支持するようになっている。この実施形態の場合、各外側連結杆３０は、一対の金属製の角管部材３０ａ，３０ｂが中継ユニット２３を介して一体に連結され、全体が幅方向に沿って直線状に延出している。
【００２２】
内側連結杆３１，３１は、天板支持体１０の奥行方向の中央領域に外側連結杆３０，３０と平行になるように配置され、天板ユニット１００の天板２Ａ，２Ｂの奥行方向の各内側縁部を下方から支持するようになっている。内側連結杆３１，３１同士は奥行方向に所定距離離間して配置されている。この実施形態の場合、各内側連結杆３１は、一対の金属製の角管部材３１ａ，３１ｂが中継ユニット２３を介して一体に連結され、全体が幅方向に沿って直線状に延出している。なお、内側連結杆３１，３１の各角管部材３１ａ，３１ａ，３１ｂ，３１ｂは、実際には、後に詳述する２つの梯子型の連結ユニット３５Ａ，３５Ｂの構成部品として構成されている。
【００２３】
一方、幅方向両側に配置される脚体２０は、床面Ｆ上に設置されて上下方向に延出する２本の脚本体部２４，２４と、奥行方向に沿って延出して脚本体部２４，２４の上部同士を連結する横梁部２５と、を備えている。各脚本体部２４は、金属製の角パイプによって主要部を構成され、その角パイプの上下の端部にエンドプレートが溶接固定されている。横梁部２５は、プレス成形された２枚の金属プレートが組み合わされ、その主要部が筒状に形成されている。横梁部２５の長手方向の両端部は、脚本体部２４，２４の各上部側面に溶接固定されている。こうして、２本の脚本体部２４，２４の上部に横梁部２５が連結された脚体２０は、幅方向から見た側面視が門型状（開口側が下方を向くコ字形状）となっている。
【００２４】
図４は、脚体２０の一部を拡大して示した図であり、図５は、図４のＡ−Ａ断面に対応する横梁部２５の断面図、図６は、脚体２０の上面図、図７は、脚体２０を幅方向の内側から見た図である。また、図８は、脚体２０の部品を斜め下方から見た図であり、図９は、脚体２０の一部を斜め下方から見た図である。
脚体２０の横梁部２５の主要部は、図５に示すように、奥行方向に長尺な金属製の第１プレート２５Ａと第２プレート２５Ｂとによって形成されている。第１プレート２５Ａと第２プレート２５Ｂはプレス成形によって屈曲して造形され、両者が相互に溶接されて閉（中空）断面とされている。横梁部２５の幅方向の外側面には、奥行方向に沿って延出する凹状段部２６が形成されている。凹状段部２６は、横梁部２５の外側面の高さ方向のほぼ中央に配置され、同断面形状が横梁部２５の全長に亘って連続している。したがって、凹状段部２６は、横梁部２５の下端から上方に離間した位置に形成されている。
【００２５】
凹状段部２６内には、凹状段部２６とほぼ補形をなす形状のカバー部材２７が脱着可能に取り付けられている。カバー部材２７は、例えば、凹凸係合やビス止め等によって凹状段部２６に脱着可能に係止される。また、カバー部材２７の凹状段部２６の外側に露出する側の面は平面とされ、その平面は、カバー部材２７が凹状段部２６に取り付けられたときに、横梁部２５の幅方向の外側の面とほぼ面一となる。また、凹状段部２６が横梁部２５の下端から上方に離間した位置に形成されていることから、凹状段部２６内に取り付けられるカバー部材２７も横梁部２５の下端から上方に離間した位置に配置される。
【００２６】
凹状段部２６内の平坦な底部には、図示しない延長天板やキャビネット等のオプション部材を取り付けるための取付座１２が設けられている。取付座１２には複数のボルト挿通孔１３（図４参照。）が設けられ、凹状段部２６の底部の裏面側には、ボルト挿通孔１３に挿入されたオプション取付用のボルト６０（図１０参照。）が螺合される固定ナット４０（図１０参照。）が取り付けられている。カバー部材２７は、横梁部２５にオプション部材を取り付けないときには、凹状段部２６内に同凹状段部２６を閉塞するように取り付けられ、オプション部材を取り付けるときには、凹状段部２６から取り外される。
また、横梁部２５の端部は、上述のように脚本体部２４の上部側面に突き合わせられて溶接固定されるが、脚本体部２４に対する横梁部２５の幅方向外側での溶接個所は、図４中の符号ｗ１，ｗ２，ｗ３で示すように凹状段部２６の内側領域に設定されている。
【００２７】
また、横梁部２５の幅方向内側の上部コーナ部分には、図５〜図７，図９に示すように、所定深さ下方に窪む段差部３２が奥行方向に沿って連続して設けられている。この段差部３２には、外側連結杆３０，３０の角管部材３０ａまたは３０ｂの幅方向の外側端部を結合するための金属製の支持アーム２８，２８と、内側連結杆３１，３１の角管部材３１ａまたは３１ｂの幅方向の外側端部を結合するための金属製の支持アーム２９，２９が取り付けられている。
各支持アーム２８，２９は、図６，図７に示すように、上向きに開口する略コ字状の連結杆保持部２８ａ，２９ａと、横梁部２５の頂部面２５ａと同一高さ位置で略水平に延出し天板２Ａ，２Ｂの下面を支持する天板支持壁２８ｂ，２９ｂと、を備えている。
【００２８】
ここで、内側連結杆３１の角管部材３１ａ，３１ｂの上下方向の高さは、段差部３２の底面３２ａから横梁部２５の頂部面２５ａまでの高さとほぼ等しくなっており、外側連結杆３０の角管部材３０ａ，３０ｂの上下方向の高さは、内側連結杆３１の角管部材３１ａ，３１ｂの上下方向の高さのほぼ半分になっている。
内側連結杆３１を保持する支持アーム２９は、端面が横梁部２５の段差部３２の縦壁３２ｂに突き当てられるとともに、連結杆保持部２９ａの下面が段差部３２の底面３２ａに突き当てられ、これらの突き当てられた部分が相互に溶接固定されている。
また、外側連結杆３０を保持する支持アーム２８は、奥行方向外側の端部が略直角に下方に折り曲げられた折り曲げ部２８ｃを備え、全体の端面が横梁部２５の段差部３２の縦壁３２ｂに突き当てられるとともに、図７，図９に示すように、折り曲げ部２８ｃの奥行方向外側の側面が段差部３２内に臨む脚本体部２４の内側側面に突き当てられ、これらの突き当てられた部分が相互に溶接固定されている。
【００２９】
一方、一対の脚体２０，２０の間に配置される図３に示す中間脚２２は、フレーム枠に金属プレートが接合されてパネル状に形成されている。中間脚２２の上端部には、中継ユニット２３が一体に取り付けられている。中継ユニット２３は、奥行方向に延出する角筒状のステー１７の幅方向両側の側面に、外側連結杆３０，３０の角管部材３０ａまたは３０ｂの幅方向の内側端部を結合するための金属製の支持アーム１８，１８と、内側連結杆３１，３１の角管部材３１ａまたは３１ｂの幅方向の内側端部を結合するための金属製の支持アーム１９，１９が溶接固定されている。
【００３０】
外側連結杆３０，３０の各角管部材３０ａは、一方の脚体２０の支持アーム２８と中継ユニット２３の一方の側面の支持アーム１８とに架設され、残余の各角管部材３０ｂは、他方の脚体２０の支持アーム２８と中継ユニット２３の他方の側面の支持アーム１８とに架設されている。同様に、内側連結杆３１，３１の各角管部材３１ａは、一方の脚体２０の支持アーム２９と中継ユニット２３の一方の側面の支持アーム１９とに架設され、残余の各角管部材３１ｂは、他方の脚体２０の支持アーム２９と中継ユニット２３の他方の側面の支持アーム１９とに架設されている。
【００３１】
ところで、角管部材３１ａ，３１ａを構成部品とする連結ユニット３５Ａは、対向配置される角管部材３１ａ，３１ａ同士が奥行方向に延出する３つブリッジ部材３６ａ，３６ｂ，３６ｃによって連結されている。同様に、角管部材３１ｂ，３１ｂを構成部品とする連結ユニット３５Ｂは、対向配置される角管部材３１ｂ，３１ｂ同士が奥行方向に延出する３つブリッジ部材３６ａ，３６ｂ，３６ｃによって連結されている。連結ユニット３５Ａと３５Ｂは同様の構造とされている。
【００３２】
隣接するブリッジ部材３６ａ，３６ｂ，３６ｃの各間には矩形状の空間部が設けられ、これらの空間部の各下方には、凹状断面の配線ダクト３７（配線受け部材）がそれぞれ配置されている。各配線ダクト３７は、内側連結杆３１，３１の角管部材３１ａ，３１ａ、または、３１ｂ，３１ｂの下面にビス止め等によって固定されている。配線ダクト３７は、デスク装置１の外部から引き込まれた電気配線や通信配線等の配線が内部に通されて保持される部分である。配線ダクト３７内に通された配線は、隣接するブリッジ部材３６ａ，３６ｂ，３６ｃの各間の空間部と、天板ユニット１００の奥行方向中央の離間スペース３を通して天板２Ａ，２Ｂ上に引き出される。
【００３３】
また、連結ユニット３５Ａ，３５Ｂの隣接する各ブリッジ部材３６ａ，３６ｂ，３６ｃには、各２つの配線カバー３８，３８が傾動可能に架設されている。これらの配線カバー３８，３８は、天板支持体１０上に天板ユニット１００が取り付けられた状態において、天板ユニット１００の奥行方向中央の離間スペース３内に開閉可能に配置され、配線のレイアウトに応じて適宜開かれるようになっている。
なお、図１，図２中の符号３９は、奥行方向前後の配線カバー３８，３８の間の隙間を埋める目隠し部材である。
【００３４】
天板ユニット１００の天板２Ａ，２Ｂは、両者の奥行方向の中央に離間スペース３を設けるようにして、天板支持体１０の上部に載置され、その状態で天板支持体１０側の部材である支持アーム２８，２９，１８，１９等に締結固定されている。
【００３５】
ところで、前述した各脚体２０の横梁部２５には、図１，図１０に示すキャビネット４７や、図１１に示す延長天板５７等のオプション部材を追加設置するための金属製の４つのブラケット４５…が取り付けられるようになっている。
図１，図１０に示すキャビネット４７は、天板２Ａ，２Ｂの幅方向の外側端面に突き当てられる底板４７ａを有し、その底板４７ａの上面の奥行方向の両端と中央とに、一対の側板４７ｂ，４７ｂと仕切板４７ｃとが立設されるとともに、底板４７ａの上面の幅方向の外側端部に背板４７ｄが立設され、これらの側板４７ｂ，４７ｂと仕切板４７ｃと背板４７ｄの上部が上板４７ｅによって閉じられている。キャビネット４７の底板４７ａは、天板２Ａ，２Ｂと同厚みに形成されている。底板４７ａは、天板２Ａ，２Ｂの幅方向の外側端面と突き合わせて設置されることにより、その上面が天板２Ａ，２Ｂの上面と連続する物品載置面とされる。底板４７ａ上には、ファイルｆや書類等を収納できるようになっている。
【００３６】
各ブラケット４５は、図１０に示すように、側面視が直角三角形状のベース壁５０と、ベース壁５０の直角コーナ部を挟む一辺に連設された脚固定フランジ５１（脚固定壁）と、他辺に連設されたオプション固定フランジ５２（オプション固定壁）と、を備えている。脚固定フランジ５１は、横梁部２５の凹状段部２６の開口に嵌合される上下幅に形成されており、凹状段部２６内の対応する取付座１２に突き当てられ、その状態で取付座１２にボルト締結されるようになっている。また、オプション固定フランジ５２は、その上面にキャビネット４７の底板４７ａが載置され、複数のビス５３…を用いて底板４７ａの下面を固定されるようになっている。
ブラケット４５は、横梁部２５の凹状段部２６内の取付座１２に取り付けられた状態において、オプション固定フランジ５２の上面が幅方向の外側に向かって微小角度α分だけ上方に傾斜するように形成されている。
【００３７】
また、図１１に示す延長天板５７は、幅方向の内側端面が天板２Ａ，２Ｂの幅方向の外側端面に突き当てられ、その状態で横梁部２５の凹状段部２６内の取付座に取り付けられたブラケット４５に支持固定されるようになっている。
【００３８】
以上のように、この実施形態に係るデスク装置１は、脚体２０の横梁部２５の幅方向の外側面に、幅方向の内側に向かって窪む凹状段部２６が横梁部２５の全長に亘るように形成され、凹状段部２６の底部にオプション部材の取付座１２が設けられるとともに、凹状段部２６がカバー部材２７によって脱着可能に閉じられているため、脚体２０の幅方向の外側にオプション部材を取り付けない場合には、横梁部２５の凹状段部２６をカバー部材２７によって閉じることにより、凹状段部２６内の取付座１２等が外部に露出して外観品質（見栄え）が低下するのを回避することができる。
一方、デスク装置１は、オプション部材を取り付ける場合には、横梁部２５の凹状段部２６からカバー部材２７を取り外すことにより、オプション部材を凹状段部２６内の取付座１２に取り付けることができる。
したがって、このデスク装置１においては、外観品質の低下を招くことなく、必要に応じて脚体２０の外側面にオプション部材を追加することができる。
【００３９】
また、このデスク装置１においては、カバー部材２７が凹状段部２６とほぼ補形をなす形状に形成されているため、カバー部材２７の剛性を高く維持し、カバー部材２７の潰れや変形を防止することができる。
【００４０】
また、このデスク装置１の場合、凹状段部２６が横梁部２５の長手方向の全長に亘って形成されているため、横梁部２５の屈曲した断面形状によって横梁部２５の曲げ剛性や捩れ剛性を高めることができる、という利点もある。
【００４１】
さらに、この実施形態のデスク装置１では、カバー部材２７が凹状段部２６に取り付けられたときに、カバー部材２７の外側露出面が横梁部２５の幅方向の外側面と面一になる平面とされているため、脚体２０の外部からの見栄えをより高めることができる。
【００４２】
また、この実施形態の場合、凹状段部２６が横梁部２５の下端から上方に離間した位置に形成されているため、凹状段部２６にカバー部材２７を取り付けた状態において、カバー部材２７が横梁部２５の下方に露出することがない。このため、デスク装置１の使用時に人や物品がカバー部材２７に下方から接触して、カバー部材２７が脱落したり、損傷したりする不具合を無くすことができる。
【００４３】
また、この実施形態のデスク装置１においては、脚体２０の２本の脚本体部２４と横梁部２５が金属材料によって形成され、横梁部２５の両側の端面を脚本体部２４に突き当てた状態で、凹状段部２６の内側において横梁部２５と各脚本体部２４とが溶接固定されているため、凹状段部２６にカバー部材２７を取り付けることにより、溶接個所を外部から覆い隠すことができる。したがって、このデスク装置１では、充分な溶接強度を維持しつつ、外観品質を向上させることができる。
【００４４】
なお、この発明は上記の実施形態に限定されるものではなく、その要旨を逸脱しない範囲で種々の設計変更が可能である。例えば、上記の実施形態においては、一対の脚体の間に中間脚を配置し、中間脚に設けられた中継ユニットによって外側連結杆や内側連結杆の各角管部材を連結するようにしているが、中間脚は必ずしも必要なものではなく、外側連結杆や内側連結杆を一本の連続したものとしても良い。
【符号の説明】
【００４５】
１  デスク装置
２Ａ，２Ｂ  天板
１２  取付座
２０  脚体
２４  脚本体部
２５  横梁部
２６  凹状段部
２７  カバー部材
３０  外側連結杆
３１  内側連結杆
【図１】
2014068917.tif 000003
【図２】
2014068917.tif 000004
【図３】
2014068917.tif 000005
【図４】
2014068917.tif 000006
【図５】
2014068917.tif 000007
【図６】
2014068917.tif 000008
【図７】
2014068917.tif 000009
【図８】
2014068917.tif 000010
【図９】
2014068917.tif 000011
【図１０】
2014068917.tif 000012
【図１１】
2014068917.tif 000013